(57)【特許請求の範囲】
【請求項１】
上枠、下枠および左右の縦枠からなる枠体と、この枠体内に左右に移動可能に設けられた障子とを備え、前記下枠は、室内側に位置する室内側部材と、室外側に位置する室外側部材と、これらの室内側部材と室外側部材との間に介在された断熱ブリッジと、この断熱ブリッジに支持されたレールとを備え、前記断熱ブリッジは、硬質の合成樹脂からなる断熱ブリッジ本体とこの断熱ブリッジ本体の上面に一体的に形成された軟質の合成樹脂からなる密着部とを備え、前記密着部に前記室内側部材および前記室外側部材がそれぞれ液密に密着しており、かつ、前記断熱ブリッジに前記レールが圧入、圧入・嵌合または挿入・係止されるとともに、前記密着部に前記レールの前記フランジ部が密着されることにより、前記断熱ブリッジに前記レールが取り付けられていることを特徴とする開口部装置。
【発明の詳細な説明】
【技術分野】
【０００１】
本発明は、躯体の開口部を開閉する開口部装置に係り、特に断熱性を備えた開口部装置に関する。
【背景技術】
【０００２】
建物の外壁に形成された開口部装置の一例として、結露等を防止できる断熱性を備えた開口部装置が知られている。
この断熱性を備えた開口部装置としては、アウトサイドバリア型とインサイドバリア型の２種類が知られている。
【０００３】
アウトサイドバリア型の開口部装置は、例えば図８および図９に示すように、上枠１、下枠２および左右の縦枠からなる枠体と、この枠体内に左右に移動可能に設けられた内障子４および外障子５とを備えており、下枠２に設けられた内レール７より室内側に、合成樹脂等によって形成された断熱ブリッジ９を設けたものである。
下枠２は、図９に示すように、内レール７より室外側において左右に分離されており、この分離部に断熱ブリッジ９ａが介在されている。
そして、このような構成のアウトサイドバリア型の開口部装置では、冬季において下枠２の室外側の部分が外気によって冷却された場合でも、分離部より内側（図９において右側）の室内側部材への熱伝導を断熱ブリッジ９ａによって遮断することができ、これによって室内側部材での結露を防止している。
【０００４】
一方、インサイドバリア型の開口部装置は、例えば図１０に示すように、下枠２に設けられた内レール７より室内側に、合成樹脂等によって形成された断熱ブリッジ９を設けたものである。
下枠２は、内レール７より室内側において左右に分離されており、この分離部に断熱ブリッジ９ｂが介在されている。
そして、このような構成のインサイドバリア型の開口部装置では、冬季において下枠２の室外側の部分が外気によって冷却された場合でも、分離部より内側（図１０において右側）の室内側部材への熱伝導を断熱ブリッジ９ｂによって遮断することができ、これによって室内側部材での結露を防止している。
【０００５】
さらに、特許文献１には、前記アウトサイド型とインサイド型の双方を備えた開口部装置が記載されている。この開口部装置では、内レールより室外側と室内側の双方に断熱ブリッジを設けている。
【０００６】
【特許文献１】特許第３３６３１０８号公報
【発明の開示】
【発明が解決しようとする課題】
【０００７】
しかしながら、前記アウトサイド型の開口部装置では、断熱ブリッジ９ａが内レール７より室外側に設けられているので、内レール７が外気によって冷却された場合に、その冷熱が下枠２の建物躯体に取り付く部分２ａに伝わって、この部分２ａが冷却されて結露が生じるおそれがある。
【０００８】
これに対し、前記インサイド型の開口部装置では、断熱ブリッジ９ｂが内レール７より室内側に設けられているので、内レール７が外気によって冷却されても、その冷熱は断熱ブリッジ９ｂによって遮断されるので、冷熱が下枠２の建物躯体に取り付く部分２ａに伝わるのを防止できるが、内レール７より室外側にある下枠２は冷却されるので、この冷熱が内レール７に伝わるとともに、内レール７は外気によっても直接冷却されるので、内レール７の温度低下が大きく、このため内レール７が凍結するおそれがある。
【０００９】
一方、前記特許文献１に記載の開口部装置では、上述したような問題を防止できるが、２つの断熱ブリッジを用いているので、部品点数が多くなって、製造コスト、組立コストが高くなるという問題がある。
【００１０】
本発明は、このような事情に鑑みてなされたもので、下枠の躯体に取り付く部分の結露やレールの凍結を防止できるとともに、製造コストや組立コストを抑えた開口部装置を提供することを目的とする。
【課題を解決するための手段】
【００１１】
前記目的を達成するために、請求項１に記載の開口部装置は、上枠、下枠および左右の縦枠からなる枠体と、この枠体内に左右に移動可能に設けられた障子とを備え、前記下枠は、室内側に位置する室内側部材と、室外側に位置する室外側部材と、これらの室内側部材と室外側部材との間に介在された断熱ブリッジと、この断熱ブリッジに支持されたレールとを備え、前記断熱ブリッジは、硬質の合成樹脂からなる断熱ブリッジ本体とこの断熱ブリッジ本体の上面に一体的に形成された軟質の合成樹脂からなる密着部とを備え、前記密着部に前記室内側部材および前記室外側部材がそれぞれ液密に密着しており、かつ、前記断熱ブリッジに前記レールが圧入、圧入・嵌合または挿入・係止されるとともに、前記密着部に前記レールの前記フランジ部が密着されることにより、前記断熱ブリッジに前記レールが取り付けられていることを特徴とする。
【発明の効果】
【００１２】
本発明の開口部装置によれば、下枠の室内側部材と室外側部材との間に断熱ブリッジが介在されているので、室外側部材が冷却されても、室内側部材への熱伝導を断熱ブリッジによって遮断することができ、これによって室内側部材の躯体に取り付く部分の結露を防止できる。また、レールが断熱ブリッジによって支持されているので、室外側部材が冷却されても、その冷熱が断熱ブリッジによって遮断されて、レールに伝わるのを防止でき、よって、レールの凍結を防止できる。さらに、１つの断熱ブリッジを使用しているので、部品点数の増加を抑えることができ、製造コスト、組立コストの増大を防止できる。
【発明を実施するための最良の形態】
【００１３】
以下、添付した図面を参照しながら、本発明の実施の形態を説明する。
図１は、本発明の実施の形態に係る開口部装置を示す縦断面図、図２は同横断面図である。
これらの図に示すように、開口部装置１０は、引き違いサッシであって、上枠１２、下枠１３および左右の縦枠１４，１５からなる枠体１６と、この枠体１６の内側の開口を開閉する外障子（障子）１８および内障子（障子）１９とを備えている。外障子１８および内障子１９の下端部には戸車１８ａ，１９ａが、上端部にはスライダ１８ｂ，１９ｂが取り付けられている。なお、外障子１８より外側には、網戸２０が設けられており、この網戸２０の下端部には戸車２０ａが、上端部にはスライダ２０ｂが取り付けられている。スライダ１８ｂ，１９ｂ，２０ｂは上枠１２に形成されたレール１２ａ，１２ｂ，１２ｃに沿って摺動するようになっている。
【００１４】
前記下枠１３は、図３に示すように、室内側に位置する室内側部材２１と、室外側に位置する室外側部材２２と、これらの間に介在された断熱ブリッジ２３と、この断熱ブリッジ２３に支持された内レール２４とを備えている。室内側部材２１、室外側部材２２および内レール２４はともに、金属製のもので、例えばアルミニウム合金の押出形材などにより形成されている。
【００１５】
室内側部材２１の壁部２１ａは建物躯体に取り付く部分であり、該壁部２１ａに形成されたリブ２１ｂには、ビスを挿通して躯体にねじ込むようになっている。この室内側部材２１には立上壁２１ｃが形成されており、この立上壁２１ｃとレール溝の底壁２１ｄとには合成樹脂製のアングル（断熱カバー）２１ｅが被せられている。
【００１６】
室外側部材２２には、外レール２５が一体的に形成されており、この外レール２５上を前記外障子１８の戸車１８ａが転動するようになっている。また、室外側部材２２のレール溝の底壁２２ｄには、合成樹脂製の断熱カバー２２ｅが被せられている。
【００１７】
前記断熱ブリッジ２３は合成樹脂によって形成されており、断熱ブリッジ本体２３ａと、この断熱ブリッジ２３ａの上面に該断熱ブリッジ本体２３ａと一体的に形成された密着部２３ｂ，２３ｂとを備えている。
断熱ブリッジ本体２３ａは、図３において紙面と直交する方向（内レール２４の長手方向）に長尺に形成されており、その上面には凹溝２３ｃが形成されている。
また、断熱ブリッジ本体２３ａの上面には、凹溝２３ｃを挟んで前記密着部２３ｂ，２３ｂが形成されている。この密着部２３ｂは、硬質の合成樹脂からなる断熱ブリッジ本体２３ａとは異なり、軟質の合成樹脂から形成されており、前記室内側部材２１、室外側部材２２および内レール２４とに液密に密着するようになっている。
【００１８】
前記内レール２４上には、前記内障子１９の戸車１９ａが転動するようになっている。
また、内レール２４の下端部に挿入部２４ａが一体的に形成されており、この挿入部２４ａの上面にはフランジ部２４ｂ，２４ｂが一体的に形成されている。
そして、このような構成の内レール２４は、前記断熱ブリッジ２３の凹溝２３ｃに、内レール２４の挿入部２４ａを圧入するとともに、断熱ブリッジ２３の上面に、内レール２４のフランジ部２４ｂ，２４ｂを密着させることによって、断熱ブリッジ２３に取り付けられている。また、この状態において、内レール２４のフランジ部２４ｂ，２４ｂの側端面は、断熱ブリッジ２３の密着部２３ｂ，２３ｂに液密に密着している。
【００１９】
上記のようにして内レール２４が取り付けられた断熱ブリッジ２３は、前記室内側部材２１と室外側部材２２との間に介在される。
室内側部材２１と室外側部材２２との互いに対向する側面部にはそれぞれ、溝部２６，２６がそれらの開口を横方向に向けかつ互いに対向して形成されており、これら溝部２６，２６によって構成された空隙部に断熱ブリッジ２３が嵌合され、該断熱ブリッジ２３が溝部２６，２６の内壁面に密着している。また、各溝部２６を構成する上下の側壁部２６ｂ，２６ｃはそれぞれ、カシメ部とされている。
そして、断熱ブリッジ２３が嵌合された状態で、上下の側壁部２６ｂ，２６ｃをかしめることによって、断熱ブリッジ２３が室内側部材２１と室外側部材２２とに強固に固定されている。
なお、上下の側壁部２６ｂ，２６ｃをかしめる場合、これらの上下の側壁部２６ｂ，２６ｃを上下一対のカシメローラで上下に挟み付けた状態で、該ローラを内レール２４の長手方向に沿って移動させながら上下の側壁部２６ｂ，２６ｃを上下から押圧すればよい。
【００２０】
本実施の形態によれば、下枠１３の室内側部材２１と室外側部材２２との間に断熱ブリッジ２３が介在されているので、室外側部材２２が冷却されても、室内側部材２１への熱伝導を断熱ブリッジ２３によって遮断することができ、これにより室内側部材２１の躯体に取り付く部分２１ａの結露を防止できる。
また、内レール２４が断熱ブリッジ２３によって支持されているので、室外側部材２２が冷却されても、その冷熱が断熱ブリッジ２３によって遮断されて、内レール２４に伝わるのを防止でき、よって内レール２４の凍結を防止できる。
さらに、１つの断熱ブリッジ２３を使用しているので、部品点数の増加を抑えることができ、製造コスト、組立コストの増大を防止できる。
【００２１】
また、内レール２４のフランジ部２４ｂ，２４ｂの側端面が、断熱ブリッジ２３の密着部２３ｂ，２３ｂに液密に密着しており、この密着部２３ｂ，２３ｂは室内側部材２１および室外側部材２２にも密着しているので、内レール２４と室内側部材２１および室外側部材２２との接合部から雨水等が浸入するのを防止できる。
【００２２】
なお、本実施の形態において、内レール２４の挿入部２４ａの両側面に軟質の合成樹脂からなる軟質部を形成しておき、この軟質部が断熱ブリッジ２３の凹溝２３ｃの内壁面に密着するようにして、内レール２４と断熱ブリッジ２３との固定強度を高めるようにしてもよい。
【００２３】
なお、断熱ブリッジ２３に内レール２４を取り付ける構造については、図３に示すものに限ることはなく、例えば図４〜図７に示すようなものでもよい。
図４に示すように、断熱ブリッジ２３の内部に複数の中空部を形成するとともに、内レール２４の挿入部２４ａの長さを長くして圧入し、さらに、断熱ブリッジ２３の下面側から補助材３０を圧入してもよい。
【００２４】
また、図５に示すように、断熱ブリッジ２３に、上方に突出する突出部２３ｄ，２３ｄを形成しておき、この突出部２３ｄ，２３ｄ間に内レール２４の挿入部２４ａを圧入して固定してもよい。
【００２５】
また、図６に示すように、内レール２４の挿入部２４ａに外側に膨出する膨出部２４ｄを形成するとともに、下側に突出する突起２４ｅ，２４ｅを形成しておき、これら膨出部２４ｄ、突起２４ｅ，２４ｅを断熱ブリッジ２３に圧入・嵌合してもよい。
【００２６】
また、図７に示すように、内レール２４の挿入部２４ａの長さを長くし、その下端部に周方向外方に突出する係止部２４ｆ，２４ｆを形成しておき、挿入部２４ａを断熱ブリッジ２３に挿入するとともに、係止部２４ｆ，２４ｆを断熱ブリッジ２３に係止してもよい。
【００２７】
さらには、接着材やねじ等の固定具により、またはこれらの固定手段を追加して、内レール２４を断熱ブリッジ２３に固定するようにしてもよい。
【００２８】
なお、前記実施の形態においては、断熱ブリッジ２３に内レール２４を支持した場合について説明したが、断熱ブリッジに外レールを支持するようにしてもよい。
【図面の簡単な説明】
【００２９】
【図１】本発明の実施の形態に係る開口部装置を示す図であって、開口部装置の縦断面図である。
【図２】同、開口部装置の横断面図である。
【図３】同、下枠の縦断面図である。
【図４】本発明に係る開口部装置の他の第１例を示すもので、下枠の縦断面図である。
【図５】本発明に係る開口部装置の他の第２例を示すもので、下枠の縦断面図である。
【図６】本発明に係る開口部装置の他の第３例を示すもので、下枠の縦断面図である。
【図７】本発明に係る開口部装置の他の第４例を示すもので、下枠の縦断面図である。
【図８】従来の開口部装置の一例を示すもので、その縦断面図である。
【図９】同、下枠の縦断面図である。
【図１０】従来の開口部装置の他の例を示すもので、下枠の縦断面図である。
【符号の説明】
【００３０】
１０  開口部装置
１２  上枠
１３  下枠
１４，１５  縦枠
１６  枠体
１８  外障子（障子）
１９  内障子（障子）
２１  室内側部材
２２  室外側部材
２３  断熱ブリッジ
２４  内レール
２５  外レール
【図１】
0004726582.tif 000002
【図２】
0004726582.tif 000003
【図３】
0004726582.tif 000004
【図４】
0004726582.tif 000005
【図５】
0004726582.tif 000006
【図６】
0004726582.tif 000007
【図７】
0004726582.tif 000008
【図８】
0004726582.tif 000009
【図９】
0004726582.tif 000010
【図１０】
0004726582.tif 000011